Podtech/llm-jp-corpus-v4-ja_patent huggingface dataset:
(57)【要約】【課題】  化学肥料や殺虫剤・殺菌剤など化学薬剤を多用することなく、芝生の維持・管理ができる芝生の植栽土壌を提供すること。【解決手段】  粉砕した小塊状および／または粒状の竹炭１を敷き詰め、その上に、砂と粉砕した粒状の竹炭とを混合した混合層３を敷き詰め、さらに砂２を敷き詰めて土壌を形成し、表層の砂２にベント芝４を植栽してグリーンを形成するものである。また、ティーグランド・フェアウエイの高麗芝に適した植栽土壌は、粉砕した小塊状および／または粒状の竹炭１を敷き詰め、その上に、砂２を敷き詰めて土壌を形成し、表層の砂２に高麗芝４を植栽するものである。【選択図】      図１
2008048708.tif 000002
【特許請求の範囲】
【請求項１】
粉砕した小塊状および／または粒状の竹炭を敷き詰め、その上に、砂と粉砕した竹炭とを混合した混合層を敷き詰め、さらに砂を敷き詰めて土壌を形成し、表層の砂に芝生を植栽することを特徴とする芝生の植栽土壌。
【請求項２】
粉砕した小塊状および／または粒状の竹炭を敷き詰め、その上に、砂を敷き詰めて土壌を形成し、表層の砂に芝生を植栽することを特徴とする芝生の植栽土壌。
【発明の詳細な説明】
【技術分野】
【０００１】
この発明は、ゴルフ場のグリーン、ティーグランドおよびフェアウエイにおける芝生の植栽に適した土壌に関する。
【背景技術】
【０００２】
ゴルフ場における芝生の育成および管理業務には、潅水、施肥、雑草の除去、害虫の駆除、病原菌の殺菌などがあり、これらの業務を行うために、化学肥料や、除草剤・殺虫剤・殺菌剤等の化学薬剤が使用されている。これら多種の薬剤の多用により、土壌に障害を生じて芝生が発育不全になったり、環境破壊の問題を生じている。
【０００３】
従来より、芝生などの土壌を改良する発明として、微粉炭層の上に培養土層を形成して芝生を植え付けた芝生の植栽土壌が、例えば、下記特許文献１に開示されている。
【特許文献１】特開２００４−２４８５９９号公報
【発明の開示】
【発明が解決しようとする課題】
【０００４】
芝草の茎、葉、根は、枯れて次々と新しい茎、葉、根が出て世代交代をするので、発生した枯れかすは、土壌微生物により分解されて土に帰って土壌の固結を抑制するが、化学肥料や殺虫剤・殺菌剤など化学薬剤の多用により、有用な土壌微生物が減少すると、枯れかすが分解されずに蓄積される。特に、蓄積された枯れかすの深い部分は低酸素状態になって、土壌微生物の活動が低下して分解され難くなる。
【０００５】
このような土壌微生物の活動の低下を補うために、化学薬剤を使用すると、一時的に病虫害を抑制できても、有用な土壌微生物がさらに減少して土壌を不健全にするという化学薬剤依存の悪循環を断ち切ることができない。
【０００６】
また、芝生の土壌は、農作物の土壌のように転耕することができないので、転耕によるエアレーションを実施することは不可能である。
【０００７】
そこで、この発明の芝生の植栽土壌は、ゴルフ場における芝生の維持・管理の問題を解決するために考えられたものである。
【課題を解決するための手段】
【０００８】
この発明のベント芝に適した植栽土壌は、粉砕した小塊状および／または粒状の竹炭を敷き詰め、その上に、砂と粉砕した粒状の竹炭とを混合した混合層を敷き詰め、さらに砂を敷き詰めて土壌を形成し、表層の砂にベント芝を植栽するものである。
【０００９】
この発明の高麗芝に適した植栽土壌は、粉砕した小塊状および／または粒状の竹炭を敷き詰め、その上に、砂を敷き詰めて土壌を形成し、表層の砂に高麗芝を植栽するものである。
【発明の効果】
【００１０】
この発明の芝生の植栽土壌によると、竹炭を埋設することにより、土壌の保水性がよくなり、土壌微生物が竹炭やそのまわりの土壌に定着して増培し、有機物を分解して肥料化するので、散水頻度や散水量を減らすことが可能になり、化学肥料の使用を抑制することができる。また、土壌微生物の多様性と増培により、病原菌の増殖が抑えられるので化学薬剤の使用も削減できる。したがって、芝生の保守・管理業務の費用および労力を軽減することができる。
【００１１】
埋設した竹炭は堅いので型崩れすることがなく、芝生を植栽した地表面が長期間にわたって変形することはない。
【００１２】
竹炭は、その主成分が炭素であるので、土壌への埋設しても変質することがなく、その保水力、付着した土壌微生物による有機物の分解力、水質浄化力も長期間にわったて維持されるから、土壌の入れ替えなしに長期にわたって芝生の健全な育成ができる。
【発明を実施するための最良の形態】
【００１３】
従来より、木炭を使用した芝生の土壌が実施されている。この発明の芝生の植栽土壌は、竹炭を使用する。竹炭は木炭に比して乾留温度が高いので、堅くて型崩れしない。竹炭は、大きな表面積を有する多孔質物質であるので、木炭の２〜５倍の保水性を有し、一度保水した水を時間をかけて除々に放出する保持力にも優れているなど、その保水性は極めて高い。また、土壌微生物が定着して増培し、有機物を分解する。そこで、この発明の芝生の植栽土壌は、このような竹炭の特性に着目して考えられたものである。
【００１４】
この発明をグリーンに適用したベント芝の植栽土壌は、図１（ａ）の断面図に示すように、表土を約２５cmの深さに掘削し、粉砕した小塊状および／または粒状の竹炭１を３〜５cmの厚さに敷き詰め、その上に、洗い砂と粉砕した粒状の竹炭とを８：７の割合（体積比）で混合した混合層３を約１５cmの厚さに敷き詰め、活力剤を混合させた洗い砂２を約５の厚さに敷き詰める。そして、表層の洗い砂２にベント芝４を植栽する。
【００１５】
この発明の  ティーグランドに適用した高麗芝の植栽土壌は、図１（ｂ）の断面図に示すように、表土を約１５cmの深さに掘削し、粉砕した小塊状および／または粒状の竹炭1を約５cmの厚さに敷き詰め、その上に、洗い砂と粉砕した粒状の竹炭とを２：３の割合（体積比）で混合した混合層３を約５cmの厚さに敷き詰め、活力剤を混合させた洗い砂２を約５の厚さに敷き詰める。そして、表層の洗い砂２に高麗芝４を植栽する。
【００１６】
この発明の  フェアウェイに適用した高麗芝の植栽土壌は、図１（ｃ）の断面図に示すように、表土を約１０cmの深さに掘削し、粉砕した粒状の竹炭１を約５cmの厚さに敷き詰め、その上に、活力剤を混合した洗い砂２を約５cmの厚さに敷き詰める。そして、表層の洗い砂２に高麗芝４を植生する。
【００１７】
以上で説明した実施の形態において使用する活力剤は、成長促進剤や遅効性肥料などであって、必ずしも洗い砂２に混合する必要はなく、混合する場合には、季節や環境に合わせて配合したものを適宜選択して混合すればよいのである。また、実施の形態において示した竹炭の層、砂の層、竹炭と砂との混合層の各厚みおよび芝生の種類は、単なる例示であって、何らこの発明を限定するものではない。この発明の要旨を逸脱することなく、変形・変更が可能である。
【図面の簡単な説明】
【００１８】
【図１】この発明の芝生の植栽土壌の実施の形態を示す断面図である。
【符号の説明】
【００１９】
１  竹炭
２  砂
３  砂と粉砕した竹炭との混合層
４  芝生
【図１】
2008048708.tif 000003
(57)【要約】      （修正有）【課題】食味期間が非常に短い果実である西洋梨ル  レクチエを年間通して風味を損なわず食することのできる西洋梨ル  レクチエの加工品を提供すること。【解決手段】西洋梨の品種ル  レクチエの切り身を適宜なシロップに漬け、真空パック用のフイルムに入れてから、真空包装し、７０度で１時間低温殺菌調理することにより得られる風味を維持し、食味期間を延長したル  レクチエの加工品。真空パックのため何処でも手軽に食することができる。【選択図】なし【特許請求の範囲】
【請求項１】
西洋梨の品種ル  レクチエに限る果実の切り身を使用し適宜なシロップにつけ真空パック用のフイルムに入れてから、真空包装し７０度で１時間低温殺菌調理したル  レクチエのシロップ漬け。
【発明の詳細な説明】
【技術分野】
【０００１】加工食品西洋梨品種ル  レクチエの果実使用に限ったもの。
【発明の開示】
【発明が解決しようとする課題】
【０００２】食する期間が限られている西洋梨ル  レクチエの食味期間を何時でも、何処でも食べられるようにした加工品
【課題を解決するための手段】
【０００３】切り身をシロップ漬けにして真空パック、低温殺菌調理することによって食味期間を年間通したものにした
【発明の効果】
【０００４】貴重品である西洋梨ルレクチエが非常に短い食味期間を持つ果実ということを払拭し、かつ国内何処でも年間通して、誰でも食することができる。
【発明を実施するための最良の形態】
【０００５】加工工場建設、または農産物加工施設
【実施例】
【０００６】実施にむけ準備中
【産業上の利用可能性】
【０００７】高齢者、乳幼児の補助食品に適している。災害時の高齢者、乳幼児の補助食品に適し開封は手でゴミの省略化にも役立つ。
(57)【要約】【課題】    犬の散歩時オシッコやウンチをした部分を洗い流し、又家庭菜園などで消毒液等を手動噴霧する携帯用簡易噴霧器に関するものである。【解決手段】  上方を開放、下方閉鎖したホルダーにベルト通し部と噴霧部分の収納部を設けて、水又は消毒液等を入れた容器を挿入して、腰ベルトを介してホルダーを装着し、必要時において管を自由自在に長短できる様にした携帯用簡易噴霧器【選択図】図２
2008048716.tif 000002
【特許請求の範囲】
【請求項１】
上方を開放、下方を閉鎖したホルダーに、ベルト通し部と噴霧部分の収納部を設けて、水又は消毒液等を入れた容器を挿入して、腰ベルトを介してホルダーを装着し、必要時において管を自由自在に長短できる様にした携帯用簡易噴霧器。
【発明の詳細な説明】
【技術分野】
【０００１】本発明は犬の散歩時オシッコやウンチをした部分を洗い流し、又家庭菜園等で消毒液等を手動噴霧する携帯用簡易噴霧器に関するものである。
【背景技術】
【０００２】従来の噴霧器は容器部分と噴霧する部分が直結されてる、又大型噴霧器は容器部分を背中に背負い、又は車輪付の容器部分より噴霧部分が長いノズルになっているものがある。
【発明の開示】
【発明が解決しようとする課題】
【０００３】  そのために、次のような問題点があった。
（イ）犬の散歩時オシッコを電柱、塀等に引っ掛けた時、ウエストポーチや手提げカバンの中から直結式噴霧器を取り出し消毒液や木酢液を掛けて清掃する。
又ウンチの場合アスファルトや草の上にした時硬いものは袋で拾えるが軟らかい時は中々きれいに拾えません。その時引き綱を持ちながら直結式噴霧器をウエストポーチや手提げカバンから取り出して洗い流す。
ゆえに、動作は立ったり座ったりの繰り返しとなり、カバンを道路に置いたり、ウエストポーチの中身を落としたりします。
（ロ）家庭菜園等の消毒液の散布時には、直結式噴霧器をひも等で腰に吊るして使用したり、土の上に置いたりして使用している。容器は腰でブラブラしたり土で汚れてしまう。又容器を捜しまわることもある。
本発明は以上の問題点を解決するためになされたものである。
【問題を解決するための手段】
【０００４】上方を開放、下方を閉鎖したホルダーに、ベルト通し部と噴霧部分の収納部を設けて、水又は消毒液等を入れた容器を挿入して、腰ベルトを介してホルダーを装着し、必要時において管を自由自在に長短できるようにした携帯用簡易噴霧器。
【発明の効果】
【０００５】  したがって、本発明は次のような効果を生じる。
（イ）犬の散歩時、オシッコをした時引き綱を持ったまま、腰部分のホルダーに収納した噴霧部分によって素早く容器に入った水又は消毒液を噴霧処理できる。その後、噴霧部分を腰のホルダーに収納する。
立ったまま片手で一連の処理ができる。
（ロ）ウンチの場合は、ウンチを拾った後汚してしまった道等の表面に噴霧部分より強い圧力のある水又は消毒液で洗い流しきれいな場所に戻す。
（ハ）家庭菜園に於いて両手で作業する時でも、水又は消毒液の容器を腰に付けているので必要な時にすぐ使用することができる。又手が一番伸びる位置まで管を調整できるので噴霧する範囲が広がる。
【発明を実施するための最良の形態】
【０００６】  以下、本発明の実施の形態を説明する。
（イ）布等で作った上方を開放、下方を閉鎖したカゴ（１）の縦方向に腰ベルト通し部（２）を設け、別の縦方向に噴霧部分を収納するための円筒形の収納部（３）を設ける。この部分をホルダー（Ａ）とする。
（ロ）水、又は消毒液の入った容器（４）のキャップ（５）に穴をあけ、管（６）を通しその先端を容器（４）の底（８）に到達させる。
もう一方の端に噴霧部（７）を装着する。
（ハ）キャップ（５）と管（６）は固定せずスライドできる様にする。
本発明は以上の構成よりなっている。
本発明を使用する時は、腰のベルト（９）等にホルダー（Ａ）を装着し、水又は消毒液の入った容器（４）をカゴ（１）の中に入れ、噴霧部（７）をホルダー（Ａ）の円筒形（３）に収納する。噴霧部（７）を持ち目的の所に向けて水又は消毒液を噴霧する。高い所に噴霧する時は容器（４）よりの管（６）を長く伸ばし噴霧する。短い場合は容器（４）の中に収納させる。この事により片手で噴霧する事ができ、携帯することが苦にならず目的を達成することができる様になる。
又容器（４）については使用済のペットボトル等を利用し水又は消毒液の種類や残量が確認できる。
【図面の簡単な説明】
【０００７】
【図１】  本発明の斜視図
【図２】  本発明の全体図
【図３】  本発明の動作説明図
【図４】  本発明を装着した説明図
【図５】  本発明の使用状態を示す説明図
【図６】  従来品の噴霧具の説明図
【符号の説明】
【０００８】  Ａ  ホルダー
１  カゴ
２  腰ベルト通し部
３  収納部
４  容器
５  キャップ
６  管
７  噴霧部
８  容器の底
９  腰ベルト
【図１】
2008048716.tif 000003
【図２】
2008048716.tif 000004
【図３】
2008048716.tif 000005
【図４】
2008048716.tif 000006
【図５】
2008048716.tif 000007
【図６】
2008048716.tif 000008
(57)【要約】  【課題】  嗜好品として世界中で愛好されているタバコであるが、一方でニコチン、タール等により健康を損なう恐れがあることが知られている。これらの物質の毒性を抑えるとともに、発生する煙の量を減らすことで排出されるタール、一酸化炭素、ダイオキシン等を減らし、煙家及び周囲の環境に役立てる。  【解決手段】  図に示した方法でタバコの表面及び内部を空気から分離した窒素ガス、又は酸素ガスで置換することにより、ニコチンの量を減らし発生する煙の量も抑えることが出来る。  【選択図】  図１
2008048715.tif 000002
【特許請求の範囲】
【請求項１】
タバコを高濃度の窒素（酸素）リッチガスでパッケージすることで、ニコチンやタールの量を減らし発生する煙を抑える。
【請求項２】
タバコをケースごと窒素（酸素）ガス雰囲気下に封入する。
【請求項３】
タバコ一本一本を吸う直前に窒素（酸素）ガスでブローし、紙巻き内を窒素（酸素）で置換しても良い。
【請求項４】
タバコの製造段階で原料（タバコ葉、スパイス）に窒素（酸素）ガスブローや窒素（酸素）置換を行い、タバコ葉の繊維の中や気孔の中をあらかじめ吸着させておくことも可能である。
【請求項５】
また一連の製造工程を窒素（酸素）雰囲気下で行うことでも、窒素（酸素）置換が可能である。
【請求項６】
またフィルターも窒素ガスで置換しておくことで、繊維中のタールの酸化が抑えられ、喫煙者の吸うタールの量を減らすことが出来る。
【請求項７】
逆にフィルターを酸素で置換しておくとタールの燃焼が早くなり、喫煙者の吸うタールの量を減らすことが出来る。
【請求項８】
活性炭フィルターにも窒素（酸素）ガスを吸着させておくことで、より高い効果を得ることが出来る。
【発明の詳細な説明】
【技術の分野】
【０００１】タバコに窒素リッチガス又は酸素リッチガスを吸着させることで燃焼率をコントロールし、ニコチン・タールなどの毒性を抑え、同時に有毒な排出煙の発生量を減らす方法である。
【発明が解決しようとする課題】
【０００２】嗜好品として世界中で愛好されているタバコであるが、一方でニコチン、タール等により健康を損なう恐れがあることが知られている。
【０００３】これらの物質の毒性を抑えるとともに、発生する煙の量を減らすことで排出されるタール、一酸化炭素、ダイオキシン等を減らし、煙家及び周囲の環境に役立てる。
【課題を解決する為の手段】
【０００４】図に示した方法でタバコの表面及び内部を空気から分離した窒素ガス、又は酸素ガスで置換することにより、ニコチンの量を減らし発生する煙の量も抑えることが出来る。
【０００５】実験の結果、窒素ガス置換したタバコは酸化しにくくなり、発生する煙の量が少なくなる傾向が見られた。
【０００６】また、フィルターの変色の度合いが淡くなったことから、タール等の吸引量も減少していると思われる。
【０００７】逆に空気から分離した高濃度の酸素ガスで置換すると燃焼しやすくなり、この場合も身体に入る有毒成分を減らすことが出来る。
【図１】
2008048715.tif 000003
【図２】
2008048715.tif 000004
【手続補正書】
【提出日】平成19年1月29日(2007.1.29)
【手続補正１】
【補正対象書類名】明細書
【補正対象項目名】全文
【補正方法】変更
【補正の内容】
【発明の詳細な説明】
【技術の分野】
【０００１】
タバコに窒素リッチガス又は酸素リッチガスを吸着させることで燃焼率をコントロールし、ニコチン・タールなどの毒性を抑え、同時に有毒な排出煙の発生量を減らす方法である。
【発明の開示】
【発明が解決しようとする課題】
【０００２】
嗜好品として世界中で愛好されているタバコであるが、一方でニコチン、タール等により健康を損なう恐れがあることが知られている。
【０００３】
これらの物質の毒性を抑えるとともに、発生する煙の量を減らすことで排出されるタール、一酸化炭素、ダイオキシン等を減らし、煙家及び周囲の環境に役立てる。
【課題を解決する為の手段】
【０００４】
図に示した方法でタバコの表面及び内部を空気から分離した窒素ガス、又は酸素ガスで置換することにより、ニコチンの量を減らし発生する煙の量も抑えることが出来る。
【０００５】
実験の結果、窒素ガス置換したタバコは酸化しにくくなり、発生する煙の量が少なくなる傾向が見られた。
【０００６】
また、フィルターの変色の度合いが淡くなったことから、タール等の吸引量も減少していると思われる。
【０００７】
逆に空気から分離した高濃度の酸素ガスで置換すると燃焼しやすくなり、この場合も身体に入る有毒成分を減らすことが出来る。
【図面の簡単な説明】
【０００８】
【図１】窒素（酸素）ブローによる置換を示す図である。
【図２】タバコケースの窒素（酸素）パッケージを示す図である。
(57)【要約】【課題】    必要以上に締め付けること無く、簡単に膝周辺部分にアクセサリーや健康グッズ（磁気チェーンなど）を着脱することが出来るズボンを提供する。【解決手段】ズボンの膝周辺部分にアクセサリーや健康グッズ（磁気チェーンなど）を着脱するためのベルト通し（１）を設けたことを特徴とする。【選択図】図１
2008190101.tif 000002
【特許請求の範囲】
【請求項１】
膝の周辺部分にベルト通し（１）をつけた、ズボン
【発明の詳細な説明】
【技術分野】
【０００１】この発明は、膝の周辺部分にベルト通しをつけた、ズボンに関するものである。
【背景技術】
【０００２】  従来のズボンには、膝周辺部分にベルト通しをつけた物は無かった。
【発明の開示】
【発明が解決しようとする課題】
【０００３】  膝の周辺部分にアクセサリーや健康グッズ（磁気チェーンなど）をつけようとすると、ずり落ちてしまうので、強く締め付けるか、何らかの留め具が必要になる。面倒でもあり、また強く締め付ければ血行不良を招くなど心地よさを損なう結果となる。
本発明はこれらの欠点を解決するためになされたものである。
【課題を解決するための手段】
【０００４】ズボンの膝周辺部分にアクセサリーや健康グッズ（磁気チェーンなど）を着脱するためのベルト通し（１）を設けた。
本発明は、以上の構成からなる膝の周辺部分にベルト通しをつけたズボンである。
【発明の効果】
【０００５】  必要以上に締め付けること無く、簡単に膝周辺部分にアクセサリーや健康グッズ（磁気チェーンなど）を着脱することが出来る。通すだけなので着脱が簡単に行え、内側に設けたベルト通しには、装着していることを他人に気づかせない効果も生まれた。
【発明を実施するための最良の形態】
【０００６】  以下、本発明の実施の形態について説明する。
ズボンの膝周辺部分にベルト通し（１）を設ける。アクセサリーや健康グッズ（磁気チェーンなど）を装着する場合、ベルト通しに通して両端をつなげばよい。きつく締め付けることもなく、簡単に装着でき、ずれ落ちる心配も無い。人目につかぬよう健康グッズ（磁気チェーンなど）をつける目的には内側に設けたベルト通しを利用する。
【図面の簡単な説明】
【０００７】
【図１】本発明の構造をあらわした正面図である。
【図２】本発明の使用状態をあらわした正面図である。
【符号の説明】
１．ベルト通し
【図１】
2008190101.tif 000003
【図２】
2008190101.tif 000004
(57)【要約】【課題】  目地部を有する建築材料において耐水性を向上させる。【解決手段】  表面材５が目透かし加工された建築材料において、目地部は溝１５を有する凹部８が切削され、該溝１５には合成樹脂を充填する。充填する合成樹脂としては、不飽和ポリエステル樹脂系、アクリル樹脂系、ウレタン樹脂系、エポキシ樹脂系等の紫外線、電子線硬化型樹脂が挙げられる。本発明ではウレタン系の常温硬化型や紫外線硬化型樹脂を用いている。表面材５としては、メラミン樹脂化粧板や、ジアリルフタレート樹脂化粧板、ポリエステル合板、突板化粧板【選択図】  図３
2008190155.tif 000002
【特許請求の範囲】
【請求項１】
芯材３の表面に表面材５が目透かし加工され、目地部には溝１５を有する凹部８が切削され、該溝１５には合成樹脂が充填されてなる建築材料９。
【発明の詳細な説明】
【技術分野】
【０００１】
本発明は玄関の扉、キッチンの扉等に使用できる建築材料に関する。
【背景技術】
【０００２】
従来、例えばドアに表面材、例えばポリエステル化粧材を突き付け加工する場合があった。しかしながら、寸法精度、作業の熟練度の影響から突き付け部分が重なったり、隙間が生じることがあり、表面材から芯材に至る深さで溝を切削して目透かしにし、隙間の部分には砥の粉を使用していた。
【特許文献１】特開２００４−２７６１６号公報
【発明の開示】
【発明が解決しようとする課題】
【０００３】
しかしながら、砥の粉にて補修した部分は表面に塗装を施しても耐水性に劣り、そのため長期間ドアを使用すると雨水の影響で目地部の塗膜の割れ、表面材への水分の浸透による変色などが生じることがあった。
【課題を解決するための手段】
【０００４】
本発明は前記の課題を解決するために検討されたもので、芯材３の表面に表面材５が目透かし加工され、目地部には溝１５を有する凹部８が切削され、該溝１５には合成樹脂が充填されてなる建築材料９である。
【発明の効果】
【０００５】
目地部に砥の粉の代わりに合成樹脂を塗布することにより耐水性が大幅に向上する。また、合成樹脂として紫外線硬化型樹脂、電子線硬化型樹脂を用いることにより作業性が向上する。
【０００６】
以下、本発明を図面に基づいて説明する。図１は本発明によるドアの正面図、図２は図１中の線Ａ−Ａ´に沿う断面図、図３は図２中の点線で囲んだ部分の拡大図である。
【０００７】
ドア本体に用いる芯材３としては、合板、パーティクルボード、中密度繊維板（ＭＤＦ）、集成材、ＬＶＬ（単板積層材）などの木質系基材、或いはこれらを複合化した複合材、更には、アルミニウム板、ペーパ−ハニカムコア、アルミニウムハニカムコア、ロールコアなどと木質系基材を複合化したものなどが挙げられる。本発明では厚み３０ｍｍの集成材を芯材３とし、表裏には厚み０．６ｍｍのアルミニウム板２が、更にアルミニウム板２の表裏には厚み４ｍｍの表面材５が接着加工されている。
【０００８】
表面材５としては、メラミン樹脂化粧板や、ジアリルフタレート樹脂化粧板、ポリエステル合板、突板化粧板、金属箔貼り化粧板、押し出し成型、注型等により得られる合成樹脂板も使用することができる。本発明では表面材５としてＭＤＦ（中密度繊維板）を基材としたポリエステル化粧材を用いている。
【０００９】
目地部は溝１５を有する凹部８が切削してメリハリのあるものとし、溝１５には合成樹脂が充填されている。充填する合成樹脂としては、不飽和ポリエステル樹脂系、アクリル樹脂系、ウレタン樹脂系、エポキシ樹脂系等の常温、紫外線、電子線硬化型樹脂が挙げられる。本発明ではウレタン系の常温硬化型や紫外線硬化型樹脂を用いている。とりわけ硬化の速い紫外線硬化型樹脂が好ましい。
【００１０】
溝１５に合成樹脂硬化物６形成された後には凹部８にエナメル塗装が施されＭＤＦの色を露出せず、耐水性を持たせる。エナメル塗装後は全面に塗装が施される。塗料にはアクリル樹脂系、ウレタン樹脂系の塗料が用いられる。本発明ではアクリルウレタン樹脂系の透明塗料が用いられている。
【図面の簡単な説明】
【００１１】
【図１】ドアの正面図
【図２】図１中の線Ａ−Ａ´に沿う断面図。
【図３】図２中の点線で囲んだ部分の拡大断面図。
【符号の説明】
【００１２】
１  基材
２  アルミニウム板
３  芯材
４  化粧層
５  表面材
６  合成樹脂硬化物
８  凹部
９  建築材料
１１  エナメル塗膜
１２  クリア塗膜
１５  溝
【図１】
2008190155.tif 000003
【図２】
2008190155.tif 000004
【図３】
2008190155.tif 000005
(57)【要約】【課題】  椅子やベッドに座って長時間過ごす高齢者や身体障害者、受験生が椅子やベッドに腰掛けながら使用できる、場所を取らない移動式一人専用椅子コタツを提供する。【解決手段】椅子やベッドに腰掛けながら使用できるように、一人専用に設計された椅子用コタツの前脚部に移動用キャスターとフットレスト・掛け布団避け板を一体化し、後脚部にスベリ足を設け、前後・左右に容易に移動できることを可能にする場所を取らない移動式一人専用椅子コタツ。【選択図】図２
2008190842.tif 000002
【特許請求の範囲】
【請求項１】
椅子やベッドに腰掛けながら使用できるように、コタツの前脚部にキャスターとフットレスト・掛け布団避け板を一体化し、コタツの後脚にスベリ足を設け、簡単に前後・左右に移動を可能にすることを特徴とする、場所を取らない移動式一人専用椅子コタツ。
【請求項２】
掛け布団避け板をコタツの前側・側面に設け、掛け布団が絡まない機構。前脚部にフットレストを設け、安息と保温を確保した移動式一人専用椅子コタツ。
【請求項３】
コタツの後脚部に設けたスベリ足は、掛け布団が絡まず、しかも移動時の安定と、足腰の弱った人の立ち上がりの時の加重に耐えることができる移動式一人専用椅子コタツ。
【発明の詳細な説明】
【技術分野】
【０００１】  本発明は、椅子やベッドに腰掛けながら使用できる、場所を取らない移動式一人専用コタツに関するものである。
【背景技術】
【０００２】  従来、椅子用コタツ使用者は、コタツから移動するとき、椅子を後方にずらし移動していた。また、コタツの前部に移動用キャスターとフットレスト・掛け布団避け板を一体化し、コタツの後脚部にスベリ足を設けた一人専用の椅子用コタツはなかった。
【特許文献１】
【発明の開示】
【発明が解決しょうとする課題】
【０００３】  そのために、次のような問題点があった。
（イ）一般の椅子用コタツは、大勢の人が利用できるように設計されている為、重量も重く場所も多く取り、しばしば邪魔者扱いされていた。
（ロ）移動用のキャスター付き椅子はあるが、コタツの前脚部に移動用キャスターとフットレスト・掛け布団避け板を一体化し、コタツの後脚部にスベリ足を設けた一人専用の椅子用コタツはなかった。
（ハ）椅子用コタツから移動するとき、椅子を後方に移動しなければならず、不自然な身体の動かし方を余儀なくされていた。
（ニ）椅子に座って長時間過ごす高齢者や身体障害者、受験生が勉強する時、他人に邪魔されずに使用できる、場所を取らない使用者専用の椅子用コタツはなかった。
本発明は、以上の問題点を解決しようとするものである。
【課題を解決するための手段】
【０００４】  一人専用に設計された椅子用コタツの前脚部に移動用キャスターとフットレスト・掛け布団避け板を一体化し、後脚部にスベリ足を設け、前後・左右に容易に移動できることを可能にする。以上を特徴とする移動式一人専用椅子コタツである。
【発明の効果】
【０００５】  本発明は、一人専用に設計された椅子用コタツの前脚部に移動用のキャスターを設け、後脚部にスベリ足を設けて、椅子やベッドに腰掛けながら椅子用コタツを前後・左右に移動させ使用する。また掛け布団避け板を前部・側面に設け、さらにフットレストを設け安息と保温を確保した。この一人専用に設計された椅子用コタツは身体の前方にある為、手を支えにして足腰の弱った高齢者や障害者の椅子やベッドからの立ち上がりの補助の役目をする。また、構造も簡単である為安価である。
【発明を実施するための最良の形態】
【０００６】  以下、本発明の実施の形態について説明する。
（イ）一人専用に設計された椅子用コタツの前脚部に移動用のキャスター（２）掛け布団避け板（３）フットレスト（４）を設ける。
（ロ）一人専用に設計された椅子用コタツの後脚部にスベリ足（５）を設ける。
本発明は以上のような構造で、椅子やベッドに座りながらこれを使用する時は、コタツを手前に引き寄せ使用する事ができる。
【図面の簡単な説明】
【０００７】
【図１】本発明の斜視図である。
【図２】本発明の側面図である。
【図３】本発明の側面図である。
【図４】使用状態を示す斜視図である。
【符号の説明】
【０００８】  １    天板部
２    移動用キャスター
３    布団避け板
４    フットレスト
５    すべり足
６    椅子
７    掛け布団
【図１】
2008190842.tif 000003
【図２】
2008190842.tif 000004
【図３】
2008190842.tif 000005
【図４】
2008190842.tif 000006
(57)【要約】【課題】空気調和機の据付工事前に、確実に必要寸法を知って、据付工事を効率よく行なうことができる空気調和機の据付板を提供する。【解決手段】空気調和機の室内機１を壁面に据付けるために予め前記壁面（図示せず）に取り付けられる空気調和機の据付板２において、前記据付板２に、据付時の注意事項を記載した銘板３を貼り付けたもので、据付時に必ず注意事項を目にすることとなり、不適切な位置での据付工事により、動作時に風向羽根（図示せず）や前面パネル（図示せず）が大きく動いて周囲の壁や梁、カーテンレールなどの障害物（図示せず）にぶつかってしまう、などといった問題を未然に防止することができる。【選択図】図１
2008190839.tif 000002
【特許請求の範囲】
【請求項１】
空気調和機を壁面に据付けるために予め前記壁面に取り付けられる空気調和機の据付板において、前記空気調和機の据付板に、据付時の注意事項を記載した銘板を貼り付けたことを特徴とする空気調和機の据付板。
【請求項２】
注意事項に、少なくとも、据付けられる空気調和機の本体寸法、稼働時の必要寸法、運転効率を上げるための推奨周辺寸法のいずれかが含まれていることを特徴とする請求項１に記載の空気調和機の据付板。
【発明の詳細な説明】
【技術分野】
【０００１】
本発明は、空気調和機を壁に据え付けるために予め壁面に取り付けられる空気調和機の据付板に関するものである。
【背景技術】
【０００２】
従来、空気調和機には、空気調和機の据付板と共に、据付時に必要な本体寸法やメーカーが推奨する周辺寸法が記載された据付工事説明書が付随している。また、実物大の型紙が記載されているものもある。かかる先行技術は、文献公知発明に係るものでないため、記載すべき先行技術文献情報はない。
【発明の開示】
【発明が解決しようとする課題】
【０００３】
本来、空気調和機の据付工事を行うときは、空気調和機の機種ごとに異なる各種据付寸法を確かめるため、据付工事を行う前に据付工事説明書を読む必要があるが、従来、一連の作業手順を分かっている工事業者は、わざわざ据付工事説明書を読む行為を行わない。
【０００４】
そのため、上下風向羽根や前面パネルが、稼働時に停止位置から大きく動くタイプの機種などの場合、空気調和機を壁などに一応据付けることはできても、いざ稼働させた場合に、周囲の壁や梁、カーテンレールなどにぶつかってしまい、使用出来ないという課題を有していた。また、その場合、据付場所の見直しからやり直す必要が出てくるため、結局、据付工事が２度手間になる課題も有している。
【０００５】
本発明は、前記従来の課題を解決するもので、空気調和機の据付工事を行う人が、据付工事を行う前に、確実に必要寸法を知ることが出来る空気調和機の据付板を提供することを目的とする。
【課題を解決するための手段】
【０００６】
前記従来の課題を解決するために、本発明の空気調和機の据付板は、空気調和機を壁面に据付けるために予め前記壁面に取り付けられる空気調和機の据付板において、前記空気調和機の据付板に、据付時の注意事項を記載した銘板を貼り付けたもので、据付時に必ず注意事項を目にして、確実に必要寸法を知ることが出来るので、不適切な位置での据付工事により、動作時に風向羽根や前面パネルが大きく動いて周囲の壁や梁、カーテンレールなどの障害物にぶつかってしまう、などといった問題を未然に防止することができる。
【発明の効果】
【０００７】
本発明の空気調和機の据付板は、空気調和機の据付工事を行う人が、据付工事を行う前に、確実に必要寸法を知ることが出来るので、空気調和機の据付工事を効率よく行うことができる。
【発明を実施するための最良の形態】
【０００８】
第１の発明は、空気調和機を壁面に据付けるために予め前記壁面に取り付けられる空気調和機の据付板において、前記空気調和機の据付板に、据付時の注意事項を記載した銘板を貼り付けたもので、据付時に必ず注意事項を目にして、確実に必要寸法を知ることが出来るので、不適切な位置での据付工事により、動作時に風向羽根や前面パネルが大きく動いて周囲の壁や梁、カーテンレールなどの障害物にぶつかってしまう、などといった問題を未然に防止することができる。
【０００９】
第２の発明は、特に、第１の発明の注意事項に、少なくとも、据付けられる空気調和機
の本体寸法、稼働時の必要寸法、運転効率を上げるための推奨周辺寸法のいずれかが含まれているもので、据付板の据付位置を確認することができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における空気調和機の据付板と、据付られる空気調和機の斜視図、図２は、同空気調和機の据付板の平面図である。
【００１２】
図１、図２において、２は、空気調和機の室内ユニット１を壁に据え付けるために予め壁面に取り付けられる空気調和機の据付板（以下「据付板２」）という）で、その据付板２の室内ユニット１側の面、すなわち壁面への取り付け時に手前に来る側には、据付上の注意や、据付けられる室内ユニット１の本体寸法、稼働時の必要寸法、運転効率を上げるための推奨周辺寸法などの注意事項が印刷された銘板３が貼り付けられている。
【００１３】
以上のように構成された空気調和機の据付板２の作用を説明する。
【００１４】
まず、据付工事時には、室内ユニット１を据付けるために据付板２を壁に据付ける。このときに据付位置を決定するが、据付板２を、実際に壁面にネジ止めする前に確実に銘板３が作業者の視界に入る。このことにより、作業者は、据付板２を据付ける前に、据付位置が適正かどうか、稼働時に周辺の壁、カーテンレール、家具などの障害物（図示せず）にぶつからないかどうか、などといった事を確認することができる。
【産業上の利用可能性】
【００１５】
以上のように、本発明に係る空気調和機の据付板は、空気調和機の据付工事を行う人が、据付工事を行う前に、確実に必要寸法を知ることが出来るので、据付工事を効率よく行なうことができるもので、空気調和機に限らず、壁に取り付けられる各種機器に適用できる。
【図面の簡単な説明】
【００１６】
【図１】本発明の実施の形態１における空気調和機の据付板と、据付けられる空気調和機の斜視図
【図２】同空気調和機の据付板の平面図
【符号の説明】
【００１７】
１  室内ユニット（空気調和機）
２  空気調和機の据付板（据付板）
３  銘板
【図１】
2008190839.tif 000003
【図２】
2008190839.tif 000004
(57)【要約】【課題】  従来の舗装資材では、敷設に当たっては専門的知識や職人的技能を必要とし、施工前の下準備に労力と時間がかかり、工期も長くかかる。また、破損した場合の部分補修は美観を損ねるため極めて困難である。さらに、面積の小さい住宅敷地内等のガレージテラス、アプローチ、植栽物周りや空き地の草押さえ、路地、路地裏等に使用する小回りがきき、簡単に敷設できる美観のある環境に優しい資材がなっかた。【解決手段】  表面が微かな太鼓状で、角と辺を面取りしたブロックの裏面に切り口が長方形で先端を楔形にしたスパイクを設けて構成した。これにより、排水と地中透水性があり、ブロックの引っ掛け、回転、跳び上がり、躓きが回避でき、しかも、スロープのある所にも対応でき、小回りがきき、場所を選ばず誰でも簡単に設置でき、補修や移設も容易な環境に優しい省資源の簡易舗装スパイクブロックの創出によりこの課題を解決できる。【選択図】図１
2008190301.tif 000002
【特許請求の範囲】
【請求項１】
ブロックの表面を微かな太鼓状にし、角と辺を面取りして、ブロックの裏面に切り口が長方形で先端が楔形のスパイクを装着させたことを特徴とする舗装用ブロック。
【発明の詳細な説明】
【技術分野】
【０００１】  この発明は、ブロックの裏面にスパイクを装着させ、これを地面に刺し込むことにより地面を舗装するブロックに関するものである。
【背景技術】
【０００２】  従来から、舗装資材として色々なものがある。例えば、インターロッキングブロック、敷きレンガ、舗装用平板、タイル、コンクリート、アスファルト、石材等である。
【発明の開示】
【発明が解決しようとする課題】
【０００３】  しかし、これ等の資材には、次の様な問題点がある。【０００４】  舗装資材を敷設するには、事前に地面を掘り起こし、土を捨てて砂や砕石を入れ鎮圧する必要があり、タイル等にあってはその上にコンクリートを打つ必要があり専門業者でないと施工が困難である。従って、比較的に工期も長く、工事費も高価である。【０００５】  コンクリートやアスファルトは、最も施工費用が安価であるが、経年とともに変色やクラックが生じる欠点があるし、夏場は、太陽熱による照り返しで暑苦しい。【０００６】  次に、部分補修の問題であるが、インターロッキングブロックを除いて非常に困難である。補修できたとしても美観を損なうことになるので、結局全面やり代えとなり産業廃棄物を量産することになる。【０００７】  本発明は、このような従来の舗装資材の有している問題を解決しようとするものであり誰でも簡単に施工できて、何度でもやり直しがきき、低コストで、しかも部分補修や移設が容易な資材の提供を目的とするものである。
【課題を解決するための手段】
【０００８】  この課題を解決するために、この発明は、ブロックの裏面ににスパイクを装着させ、これを地面に刺し込むことを特徴とするものである。【０００９】  スパイクの形を切り口を長方形としたことで、ブロックを設置した後に回転、横ずれを防止することができ、先端を楔形にすることによって地面への刺し込みを容易にし、跳び上がりを防止することができるし、ブロックの厚さを薄くすることができ、省資源化が図られる。【００１０】  また、ブロックの表面を微かな太鼓状にすることによって排水を円滑に行うことができ、側面と角を面取りすることによって、引っ掛け、躓きを防止することができ、スロープのある地面にも対応できるようにすることができ、優しさをも創出することができる。【００１１】  舗装を実施するに当たっては、インタ−ロッキングブロック、敷きレンガ、舗装用平板タイル、コンクリート、アスファルト等のように手数のかかる事前工事は不要で、単に地面を整地、鎮圧するだけでよい。
【発明の効果】
【００１２】  本発明の舗装ブロックは、上述のように施工費用が安く、手数がかからず、工期が短く施工に当たっては、専門的知識や職人的技能を必要とせず、誰にでも実施可能である。しかも、施工に失敗しても何度でもやり直すことができる。【００１３】  また、破損等の場合の部分補修が容易で、かつ、他の場所への移設再利用がでるので、省資源化が図られる。
【発明を実施するための最良の形態】
【００１４】  以下、本発明の実施の形態を図１〜図４に基づいて説明する。【００１５】  まず、図１のように正方形のブロックを形成する。【００１６】  その際、ブロックの表面１は、図４のように微かな太鼓状とし、ブロックの辺と角２は面取りを行う。【００１７】  また、図２のブロックの裏面４に、図３のスパイクに合致した切り口が長方形の穴５をブロックの高さの中間程度まで設ける。【００１８】  次に、別途、図３のような切り口が長方形で先端が楔形のスパイク３を製作する。【００１９】  最後に、図３のスパイク３の上部に接着剤６を着け、図２のブロックの裏面４の穴５に挿入し、ブロックを完成させ、地面に刺し込むことにより目的を達成させる。【００２０】  ブロックの材料は、コンクリート、アスファルト、粘土、木材、廃タイヤ、樹脂等が考えられ、ブロックの表面に化粧砂、化粧砂利を入れたり、着色したりすることもできる。【００２１】  スパイクの材料としては、金属、塩化ビニール、その他の樹脂等が考えられる。【００２２】  スパイクの数は、ブロックの大きさや形により複数個設けてもよい。また、スパイクを複数個設ける場合は、スパイクの形も切り口が丸形でもよい。
【産業上の利用可能性】
【００２３】  本発明に係るブロックは、工業的に量産することが可能であるため、産業上の利用可能性を有する。【００２４】  用途としては、歩道、路地、路地裏、テラス、ガレージ、アプローチ、植栽物や建物の周りの草押さえ、泥はね防止、自動車の乗り入れの少ない広場での活用が期待される。【００２５】  特に、路地、路地裏に施工すれば、このブロックは再利用ができるので、ガス、水道工事の度にコンクリートやアスファルトのように廃棄物を出すことなく、しかも、美観を損ねることもなく、夏の打ち水効果も持続することができ、非常に環境に優しい資材と言える。
【図面の簡単な説明】
【００２６】
【図１】  ブロック表面の斜視図
【図２】  ブロック裏面の斜視図
【図３】  スパイクの斜視図
【図４】  ブロック表面の正面図
【符号の説明】
【００２７】  １  ブロックの表面
２  ブロックの角、辺
３  スパイク
４  ブロックの裏面
５  穴
６  接着剤
【図１】
2008190301.tif 000003
【図２】
2008190301.tif 000004
【図３】
2008190301.tif 000005
【図４】
2008190301.tif 000006
(57)【要約】【課題】熟練した技術を有しない者が簡単に住宅建材の補修を行うことができる道具及び方法を提供する。【解決手段】本発明は、充填剤、充填用ヘラ、描画用顔料、顔料の溶剤、コーティング剤からなる。充填剤は、充填用ヘラとの摩擦により生じる摩擦熱によりキズの欠損部分に充填され、その際、充填用ヘラは充填剤及び補修対象面に対して充填用ヘラが一定の角度を維持するように設計されており、熟練した技術がなくとも平滑な表面を形成できるようになっている。充填剤を充填用ヘラで擦ることにより、生じる摩擦熱で軟化させ充填する。キズにより欠損した木目を描画する為に、顔料及び溶剤を用いて描画し、それを保護する為に、コーティング剤にて仕上げる。【選択図】なし【特許請求の範囲】
【請求項１】
（イ）住宅建材のキズを補修する商品及び方法であって
（ロ）樹脂及びＷＡＸ等を含む充填剤とそれを摩擦熱で軟化させ充填用ヘラ、木目を描画する為の顔料及び溶剤、そして表面を保護コーティングする為のコーティング剤から構成させる
以上のように構成したことを特徴とする住宅建材補修商品。
【発明の詳細な説明】
【技術分野】
【０００１】本発明は、摩擦熱を利用して簡単に住宅建材等の補修を行うことができる道具に関する。
【背景技術】
【０００２】従来、この種の補修方法には、電気のコテを用いて、樹脂を溶かし、キズに充填するものがある。これは、樹脂を電気のコテによる熱で溶解し、キズ等の欠損部分に充填して、表面を電気コテの熱とコテ部分を利用して平滑に充填するものであったが、電気コテを用いて樹脂を溶解する温度や平滑にするための温度管理や角度維持は、熟練した技術をもとにした本人の感覚に頼るものだった。
【発明の開示】
【発明が解決しようとする課題】
【０００３】  しかしながら、このような材料による補修方法では、電気コテの熱で樹脂を溶かす為、キズの充填部分を平らにすることは、電気コテの温度管理や加える熱量及び電気コテのコテ先を用いて平滑にする行為において電気コテの角度の維持という技能の習得は、いずれもかなりの熟練を要するものであり、初心者にとって極めて困難であることはもとより、ある程度の中級レベルの者や熟練者においても簡単ではなかった。
そこで本発明は、前述の課題を解決するために、特に初心者や独学者でもキズの補修において、高度な技術や熟練を要することなく補修する事を可能にする道具提供するものである。
【課題を解決するための手段】
【０００４】上記課題を解決するために本発明は、
（イ）住宅建材のキズを補修する商品であって
（ロ）樹脂及びＷＡＸ等を含む充填剤とそれを摩擦熱で軟化させ充填用ヘラ、木目を描画する為の顔料及び溶剤、そして表面を保護コーティングする為のコーティング剤から構成させる
以上のように構成したことを特徴とする住宅建材補修商品。
【発明の効果】
【０００５】  以上述べて来た如く、本発明によれば、住宅建材の補修について、今迄のような熟練した高度な技術を有するものでなくとも実施することが可能であり、また電気コテを使わないため、安全かつ簡単な方法で一定の水準の補修を実現させることが出来る。
【発明を実施するための最良の形態】
【０００６】  以下、本発明にかかる住宅建材のキズ補修方法を実施の一形態によって説明する。
本発明は、
（イ）住宅建材のキズを補修する商品及び方法であって
（ロ）樹脂及びＷＡＸ等を含む充填剤とそれを摩擦熱で軟化させ充填用ヘラ、木目を描画する為の顔料及び溶剤、そして表面を保護コーティングする為のコーティング剤から構成させる
以上のように構成したことを特徴とする住宅建材補修商品からなる。
欠損部分に対する補修の際の充填剤の充填方法として充填剤は、充填用ヘラとの摩擦により生じる摩擦熱によりキズの欠損部分に充填され、その際、充填用ヘラは充填剤及び補修対象面に対して一定の角度を維持するように設計されており、熟練した技術がなくとも平滑な表面を形成できるようになっている。【０００７】  なお、上述の形態は本発明の好適な形態の一例ではあるがこれに限定されるものではなく、本発明の要旨を逸脱しない範囲において種々変形実施可能であり、充填剤及び充填用ヘラのみ販売、展示に供してもよい。
(57)【要約】      （修正有）【課題】プレキャストの柱、梁部材で主筋取付部の型枠及び、治具を取り付ける時間を短縮する取付治具を提供する。【解決手段】プレキャスト柱、梁主筋の組立を行う際に、鋼製の型枠にロート状リング体の主筋取付治具を取り付け、治具に設けた主筋挿通孔に主筋を挿通し、次いで型枠外側に突出する治具の雄ネジ部をナットで締め付けることにより主筋の組立、固定を行う。この治具を用いることにより主筋の組立及び型枠脱型に要する時間が大幅に短縮する。【選択図】図１
2008190306.tif 000002
【特許請求の範囲】
【請求項１】
プレキャスト柱部門
主筋の取り付け治具。
【請求項２】
プレキャスト梁部門
主筋の取り付け治具。
【発明の詳細な説明】
【技術分野】
【０００１】
【背景技術】
【０００２】
【特許文献１】
【特許文献２】
【非特許文献１】
【非特許文献２】
【発明の開示】
【発明が解決しようとする課題】
【・・・・】
【課題を解決するための手段】
【・・・・】
【発明の効果】
【・・・・】
【発明を実施するための最良の形態】
【・・・・】
【実施例】
【・・・・】
【産業上の利用可能性】
【・・・・】
【図面の簡単な説明】
【・・・・】
【図１】
【・・・・】
【符号の説明】
2008190306.tif 000003
【図１】
2008190306.tif 000004
【図２】
2008190306.tif 000005
2008190306.tif 000006
【手続補正書】
【提出日】平成19年5月14日(2007.5.14)
【手続補正２】
【補正対象書類名】明細書
【補正対象項目名】全文
【補正方法】変更
【補正の内容】
【発明の詳細な説明】
【技術分野】
【０００１】プレキャストコンクリート柱、梁部材を製作の際、主筋の位置精度を正確に出せます。【０００２】鉄筋組み立て前に端版に取付ける為出設前セット時間が短縮出来ます。【０００３】治具の内径のみ主筋径ごとに加工することにより締め付けナットは共通で使用出来ます。【０００４】内径断面を主筋が異型棒鋼の場合は円形とし、ネジ鉄筋の場合はだ円形とすることによりモルタルペーストの漏れを防げます。【０００５】取付けに際しボルトを使用しない為、ボルト代金及びボルト取付け穴の加工費用を削減出来ます。【０００６】取外しが脱型時容易に出来ます。
【図面の簡単な説明】
【０００７】
【図１】治具の断面図を描いたものです。図２矢視イ
【図２】治具の正面図を描いたものです。図１矢視ア
【図３】今現在一般的に使用されている治具の取付け断面を全景で表したものです。ボルト２本で取付けている状態です。
【図４】治具の取付け断面を型枠全景で表したものです。図３との比較です。ボルトを使わず取付けます。
【手続補正３】
【補正対象書類名】図面
【補正対象項目名】全図
【補正方法】変更
【補正の内容】
【図１】
2008190306.tif 000007
【図２】
2008190306.tif 000008
【図３】
2008190306.tif 000009
【図４】
2008190306.tif 000010
(57)【要約】      （修正有）【課題】原子力発電所の事故や中性子爆弾等の被爆に対し、水を利用して被害を最小限にできるシェルターを提供する。【解決手段】シェルターの全壁面の内壁２と外壁１の間隔が１０ｃｍを越えるように組み立て、内壁２と外壁１の間に中性子防御材として水を充填密封する。水の厚さ１０ｃｍを越える容器とすることにより中性子の侵入を遮断する。【選択図】図１
2008190310.tif 000002
【特許請求の範囲】
【請求項１】
中性子防御用に作成されたシェルターの内壁と外壁の間隔を１０ｃｍを越える様に保たれた部分に防御材として水を充填密封したもの。
【発明の詳細な説明】
【技術分野】
【０００１】この発明は内壁と外壁の間隔を１０ｃｍを越えるように保たれた部分に水を充填密封して中性子の侵入を防御できるシェルターに関するものである。
【背景技術】
【０００２】中性子が１０ｃｍの厚さのある水の入った容器の中を通過することが出来ない性質であることから中性子の防御に利用できることが考えられた。
【発明の開示】
【発明が解決しようとする課題】
【０００３】これには次の様な問題点があった。
中性子の侵入を防止するために、マット状のものに水を充填密封したものはあるが、複数の人間を守るためのものが無かった。原子力発電所の事故や中性子爆弾等の被爆を考えたとき、シェルターに水を利用して被害を最小限にしたいと考えた。
【課題を解決するための手段】
【０００４】シェルターの内壁と外壁の間隙１０ｃｍを越える部分に水を充填密封したもの。以上の構成からなる水を充填密封した中性子防御シェルターである。
【発明の効果】
【０００５】水が一番の防御材となっているので製作コストが低い。
非常時、通常時ともに利用価値がある。
非常時にはシェルターとして、通常時には飲食品等の収納庫として利用できる。設置場所は既存のシェルター内部、家屋内部、屋外、地下等を利用できる。
【発明を実施するための最良の形態】
【０００６】以下、本発明の実施例について説明する。
［図１］から内壁（２）からなる内箱と外壁（１）からなる外箱状のものを底部（３）の内壁留め溝（８）と外壁留め溝（７）に挿入して底部（３）に固定する。円形ドア（４）の雌ネジ部分を取り付ける。円形ドア（５）を回転挿入する。注水口（９）から水を注入充填する。注水口（１１）から底部（３）に水を注入充填する。円形ドア（５）の注水口（６）から水を注入充填する。排水口（１０）、排水口（１２）は注水前に閉じておく。ドアの注水口は給排両用である。
外壁（１）と底部（３）の全外側面に耐熱機能のすぐれたファイバー状のセラミックスを貼り付ける。
本発明は以上のような構造であるのでこれを使用するときは水を充填密封することによって効果が発揮される。
【図面の簡単な説明】
【０００７】
【図１】  本発明の斜視図である。
【図２】  円形ドアの雌ネジと雄ネジの合体図である。
【図３】  シェルター底部の上面図。
【符号の説明】
【０００８】  １  外壁
２  内壁
３  底部
４  円形ドアの雌ネジ部分
５  円形ドア
６  ドアの注水口
７  外壁留め溝
８  内壁留め溝
９  注水口
１０  排水口
１１  底部への注水口
１２  底部からの排水口
【図１】
2008190310.tif 000003
【図２】
2008190310.tif 000004
【図３】
2008190310.tif 000005